(57)【要約】【課題】魚の食いつきが悪い場合であっても、魚への釣針の掛りが良い魚型ルアーを提供する。【解決手段】ルアー本体２と、ルアー本体２に連結された釣針３とを備えた魚型ルアー１であって、ルアー本体２は、尾部２ａを含み、釣針３は、軸部３ｂと軸部３ｂの一端に形成された針部３ａとを含み、軸部３ｂは、尾部２ａの長手方向と平行となるように配置されており、魚型ルアー１をその上面側から見たときに、軸部３ｂの少なくとも１部と尾部２ａとが重なっている。【選択図】  図１
2006197877.tif 000002
【特許請求の範囲】
【請求項１】
ルアー本体と、前記ルアー本体に連結された釣針とを備えた魚型ルアーであって、
前記ルアー本体は、尾部を含み、
前記釣針は、軸部と前記軸部の一端に形成された針部とを含み、
前記軸部は、前記尾部の長手方向と平行となるように配置されており、
前記魚型ルアーをその上面側から見たときに、前記釣針の少なくとも一部と前記尾部とが重なっていることを特徴とする魚型ルアー。
【請求項２】
前記尾部は、軟質ゴムまたは軟質樹脂を含む請求項１に記載の魚型ルアー。
【請求項３】
前記ルアー本体の前記尾部以外の部分は、硬質樹脂を含み、
前記軸部の前記針部側の反対側が、前記ルアー本体の前記尾部以外の部分に連結されている請求項２に記載の魚型ルアー。
【請求項４】
前記釣針は、一対の前記軸部を含み、
前記一対の軸部は、線材を折り曲げて形成されており、
前記一対の軸部で、前記尾部の一部が挟持されて、前記軸部が、前記尾部の長手方向と平行となるように配置されている請求項１〜３のいずれかの項に記載の魚型ルアー。
【請求項５】
前記尾部は、細長体と、前記細長体のうちの基端側部分に設けられた鰭体とを含み、
前記一対の軸部で、前記鰭体が挟持されて、前記軸部が、前記尾部の長手方向と平行となるように配置されている請求項４に記載の魚型ルアー。
【請求項６】
前記釣針の一部が前記尾部内に挿入されている請求項１〜３のいずれかの項に記載の魚型ルアー。
【請求項７】
前記針部は、前記尾部の前記上面に接して配置され、または前記尾部内に配置された請求項６に記載の魚型ルアー。
【請求項８】
前記釣針は、一対の前記軸部を含み、
前記一対の軸部は、線材を折り曲げて形成されており、
前記魚型ルアーは、前記ルアー本体に固定された連結部材をさらに備え、
前記連結部材は、前記ルアー本体の外側に配置された環状部を含み、
前記線材の折り曲げられた部分が、前記環状部の内側に配置されて、前記釣針が、前記連結部材を介して前記ルアー本体に連結された請求項１〜７のいずれかの項に記載の魚型ルアー。
【請求項９】
前記釣針は、一対の前記軸部を含み、
前記一対の軸部は、線材を折り曲げて形成されており、
前記魚型ルアーは、前記ルアー本体に固定された連結部材をさらに備え、
前記連結部材は、前記ルアー本体の外側に配置された環状部を含み、
前記魚型ルアーは、前記環状部に連結された接続リングをさらに備え、
前記線材の折り曲げられた部分が前記接続リングの内側に配置されて、前記釣針が、前記接続リングおよび前記連結部材を介して前記ルアー本体に連結された請求項１〜７のいずれかの項に記載の魚型ルアー。
【発明の詳細な説明】
【技術分野】
【０００１】
本発明は、魚型ルアーに関する。
【背景技術】
【０００２】
近年、ルアー（擬似餌）を用いたルアーフィッシングが盛んに行われている。従来の、例えば、特許文献１に記載された魚型ルアーは、図５に示されるような構造をしている。図５は、従来の釣用ルアーの側面図である。図５に示すように、釣用ルアーは、魚の頭部に似せて形成されたルアー頭部１１１と、ルアー頭部１１１の後方に連結されたルアー体部１１２とを有している。ルアー頭部１１１は、ＡＢＳ樹脂等の硬質合成樹脂からなる。ルアー体部１１２は、塩化ビニル等の軟質合成樹脂などからなる。ルアー頭部１１１には、先端付近に設けられ釣糸を係止可能な釣糸係止部１１３と、リップ１１４と、スプリットリング１１５を介してルアー頭部１１１に連結された釣針１１６とを備えている。ルアー体部１１２の内部には形状記憶合金製ワイヤ１１７が配置されている。
【０００３】
図５に示す魚型ルアーは、水中で魚を誘引し、誘引された魚は、魚型ルアーを餌と間違えて食いつき、その結果、釣針１１６に掛かり、釣り上げられる。
【０００４】
ところで、冬期の魚の活性は著しく低く、餌への食いつきが悪い。冬期の魚は、夏期の魚のように、餌（例えば小魚）を丸のみするような食べ方はほとんどせず、小魚の後方から小魚の一部、例えば、尾部のみに食いつくような食べ方をすることが多い。また、魚の動きも緩慢である。そのため、水中に投入されたルアーは、所望の位置に配置された後、動かさずにおかれることがある。
【特許文献１】特開２００２−１３６２４７号公報
【発明の開示】
【発明が解決しようとする課題】
【０００５】
しかし、ルアーを動かさないでいると、釣針は垂れ下がった状態となる。そのため、魚により、尾部のみに食いつくような食べ方をされた場合、魚が釣針に掛からず、魚に逃げられてしまうという問題があった。
【０００６】
本発明は、魚の食いつきが悪い場合であっても、魚への釣針の掛りが良い魚型ルアーを提供する。
【課題を解決するための手段】
【０００７】
本発明の魚型ルアーは、ルアー本体と、前記ルアー本体に連結された釣針とを備えた魚型ルアーであって、前記ルアー本体は、尾部を含み、前記釣針は、軸部と前記軸部の一端に形成された針部とを含み、前記軸部は、前記尾部の長手方向と平行となるように配置されており、前記魚型ルアーをその上面側から見たときに、前記釣針の少なくとも一部と前記尾部とが重なっていることを特徴とする。
【０００８】
尚、上記「平行」には、略平行も含まれる。「上面」は、水中で上方を向く側の面を意味する。
【発明の効果】
【０００９】
本発明では、魚の食いつきが悪い場合であっても、魚への釣針の掛りが良い魚型ルアーを提供できる。
【発明を実施するための最良の形態】
【００１０】
以下、本発明の魚型ルアーの一例について、図面を参照しながら説明する。
【００１１】
図１のＡは、本実施形態の魚型ルアーの一例の側面図であり、図１のＢはＡに示した魚型ルアーの上面図である。図２のＡは、本実施形態の魚型ルアーの他の例の側面図であり、図２のＢはＡに示した魚型ルアーの上面図である。
【００１２】
図１のＡおよび図２のＡに示すように、本実施形態の魚型ルアー１は、ルアー本体２と、ルアー本体２に連結された釣針３とを備えている。ルアー本体２は、尾部２ａを含んでいる。釣針３は、軸部３ｂと軸部３ｂの一端に形成された針部３ａとを含んでいる。軸部３ｂは、尾部２ａの長手方向と平行となるように配置されている。
【００１３】
図１のＢおよび図２のＢに示すように、魚型ルアー１を上面側から見たときに、釣針３の少なくとも１部と尾部２ａとが、重なっており、釣針３の一部（例えば、軸部３ｂ）は魚型ルアー１の上面側からは見えない。
【００１４】
本実施形態の魚型ルアー１では、上記のとおり、軸部３ｂが尾部２ａの長手方向と平行となるように配置され、魚型ルアー１をその上面側から見たときに、釣針３の少なくとも１部と尾部２ａとが重なっている。そのため、魚の食いつきが悪い場合、例えば、魚が尾部２ａのみに食いつくような場合における、魚の釣針３に掛かる可能性が、例えば、釣針がルアー本体の下方に垂れ下がった従来の魚型ルアーよりも、高い。よって、本実施形態の魚型ルアーは、上記従来の魚型ルアーよりも、魚への釣針３の掛かりが良い。
【００１５】
魚型ルアーは、水草や漁礁等の障害物の近くに投げられることが多い。上記障害物の近くに魚が集まる傾向にあるからである。所望の深さにまで達した魚型ルアーは、釣糸を介した操作により、魚の動きと同様な動きが与えられる。しかし、例えば、図５に示した従来の魚型ルアーのように、釣針３が、ルアー本体の下方に垂れ下がっていると、釣針が障害物に引っ掛かる事態、いわゆる根掛りが生じ易い。
【００１６】
本実施形態の魚型ルアー１では、釣針３の軸部３ｂが、尾部２ａの長手方向と平行となるように配置されているので、例えば、上記従来の魚型ルアーよりも根掛りが抑制される。
【００１７】
したがって、本実施形態の魚型ルアー１は、魚への釣針３の掛りが良いことに加えて、障害物のより近くに投げることも可能となる。
【００１８】
軸部３ｂを、尾部２ａの長手方向と平行となるように配置する方法について特に制限はない。
【００１９】
例えば、図１に示した例では、釣針３は一対の軸部３ｂを含み、一対の軸部３ｂは、線材を折り曲げて形成されている。一対の軸部３ｂで、尾部２ａの一部が挟持されることにより、軸部３ｂが、尾部２ａの長手方向と平行な状態に保たれている。
【００２０】
図１に示した例では、尾部２ａは、長手方向が、ルアー本体２の長手方向と同方向である細長体２１１と、細長体２１１のうちの根元側部分に設けられた鰭体２１とを含んでいる。一対の軸部３ｂは、鰭体２１を挟持している。このように、細長体２１１のうちの根元側部分に設けられた鰭体２１を一対の軸部３ｂで挟持することにより、軸部３ｂを、尾部２ａの長手方向と平行となるように配置すれば、ルアー本体２に連結された釣針３により、尾部２ａの動きが規制されたり、魚らしい動きが損なわれることが抑制される。尚、上記「根元側」とは、ルアー本体２の尾部以外の部分に近い側を意味する。
【００２１】
図２に示した例では、釣針３の一部が尾部２ａ内に挿入されることで、軸部３ｂが、尾部２ａの長手方向と平行な状態に保たれている。この場合、針部３ａは、尾部２ａの上面側に突き抜けて上面に沿うように上面に接して配置されていてもよいし、または尾部２ａ内に埋め込まれていてもよい。
【００２２】
魚型ルアー１をその上面側から見たときに、釣針３の少なくとも一部と尾部２ａとが重なっていれば、釣針３の配置位置について特に制限はない。しかし、魚型ルアー１をその上面側から見たときに、軸部３ｂの少なくとも一部と尾部２ａとが重なるように、釣針３が配置されていると好ましい。軸部３ｂの少なくとも一部と尾部２ａとが重なるように、釣針３を配置すれば、針部３ａは、尾部２ａのより先端側に配置されることになる。針部３ａが、尾部２ａのより先端側に配置されれば、魚により尾部側から食いつくような食べ方をされた場合の、魚の釣針３に掛かる可能性が、さらに高まる。魚型ルアー１をその上面側から見たときに、軸部３ｂの全体と尾部２ａとが重なっていると、さらに好ましい。
【００２３】
ルアー本体２の材料について特に制限はないが、尾部２ａは、軟質ゴムまたは軟質樹脂を含んでいると好ましい。尾部２ａが、軟質ゴムまたは軟質樹脂を含んでいると、尾部２ａについて、より魚らしい繊細な動きを実現でき、集魚効果を高めることができる。
【００２４】
また、魚は，食いついたときに違和感があるとすぐさま食いついたものを吐出してしまう。そのため、魚型ルアーの食感は可能な限り本物の餌に近いことが望ましい。軟質ゴムまたは軟質樹脂は、例えば、硬質樹脂よりも、食感が本物に近い。したがって、尾部２ａが、軟質ゴムまたは軟質樹脂で形成されていると、魚の食いつきが改善される。
【００２５】
軟質ゴムとしては、例えば、シリコンゴムが、軟質樹脂としては、例えば、塩化ビニル樹脂、ポリオレフィン等が挙げられる。
【００２６】
ルアー本体２の尾部以外の部分２ｂは、硬質樹脂を含み、軸部３ｂの針部側の反対側は、ルアー本体２の尾部２ａ以外の部分２ｂに連結されていると好ましい。釣針３が尾部２ａのみに固定されていると、釣針３に魚が掛かっても、釣針３および尾部２ａが食いちぎられ、魚に逃げられてしまう恐れがある。例えば、硬質樹脂からなる、ルアー本体２の尾部以外の部分２ｂに釣針３が連結されていると、釣針３は容易に食いちぎられないので、上記の恐れは低減される。
【００２７】
上記硬質樹脂としては、例えば、ＡＢＳ樹脂、ポリカーボネート、ポリスチレン等が挙げられる。
【００２８】
本実施形態の魚型ルアー１は、ルアー本体２の先端部（尾部側の反対側）に形成されたリップ７を備えている。リップ７を設けると、釣糸（図示せず）を介した操作によりルアーを水中で動かす際の、ルアーの姿勢の安定性が向上する。リップ７は、平面を有し、その平面はルアー本体２の上面側に向いており、かつ、所定の角度を有するように設けられている。リップ７の形状、寸法、取り付け角度などについては、使用用途に応じて適宜選択すればよい。尚、リップ７は必ずしも必要ではなく、本実施形態の魚型ルアー１は、リップ７を備えていなくてもよい。
【００２９】
魚型ルアー１がリップ７を備える場合、リップ７の根元部近傍には、釣糸を接続するための釣糸接続用環部８が固定され、釣糸接続用環部８には、リング部材９が連結されていてもよい。リング部材９には釣糸（図示せず）が結束される。
【００３０】
図１および図２に示すように、ルアー本体２の尾部２ａ以外の部分２ｂが、２つの成形体を含み、２つの成形体が、一方の成形体が他方の成形体に対して左右方向に揺動可能に連結されていると好ましい。
【００３１】
このように、ルアー本体２の尾部２ａ以外の部分２ｂが、一方が他方に対して左右方向に揺動可能に連結された２つの成形体を含んでいると、釣糸を介した操作により、より魚らしい動きを実現できる。
【００３２】
２つの成形体の連結方法について特に制限はないが、例えば、八の字状の連結部材（エイトリングとも言われる）等を用いて行える。
【００３３】
図１のＡに示すように、本実施形態の魚型ルアー１は、ルアー本体２に固定された連結部材４を備えている。連結部材４は、ルアー本体２の外側に配置された環状部４ａを含んでいる。釣針３は、一対の軸部３ｂを含み、一対の軸部３ｂは、線材を折り曲げて形成されている。線材の折り曲げられた部分が環状部４ａの内側に配置されている。
【００３４】
このように、連結部材４を介して釣針３がルアー本体２に連結されていると、例えば、釣針３がルアー本体２に直接連結される場合よりも、釣針３の融通性が向上する。そのため、ルアー本体２に連結された釣針３により、尾部２ａの動きが規制されたり、魚らしい動きが損なわれることが抑制される。
【００３５】
図２のＡに示すように、本実施形態の魚型ルアー１は、連結部材４の環状部４ａに連結された接続リング５をさらに含んでいてもよい。連結部材４および接続リング５を介して釣針３がルアー本体２に連結されていると、釣針３の融通性がさらに向上する。そのため、ルアー本体２に連結された釣針３により、尾部２ａの動きが規制されたり、魚らしい動きが損なわれることを、さらに抑制できる。
【００３６】
釣針３の形状については特に制限はない。図１に示した魚型ルアー１に用いた釣針（図３のＡ参照）および図２に示した魚型ルアー１に用いた釣針（図３のＢ参照）以外に、釣針３は図３のＣに示した構造をしていてもよい。
【００３７】
図３のＡに示す釣針３は、ダブルフックとも呼ばれ、両端に針部３ａが設けられた一本の線材を、ほぼ半分に折り曲げることにより得られる。折り曲げられた線材のうちの１対のストレート部分が、１対の軸部３ｂとなる。
【００３８】
図３のＢに示す釣針３は、トリプルフックとも呼ばれ、例えば、図３のＡの釣針に、一端側に針部３ａが設けられた線材をロウ付け等により一体化して得られる。
【００３９】
図３のＣの釣針３は、一端に針部３ａが設けられた一本の線材をＪの字状に加工し、さらに、線材の他端部をループ状に加工することにより得られる。
【００４０】
図１および図２に示した魚型ルアーは、１つの釣針３を備えているが、例えば、図４に示すように、さらに別の釣針を１つ以上備えていてもよい。図４に示した例では、釣針１２，１３は、ルアー本体２に固定された連結部材４の環状部４ａに、接続リング５を介して連結されている。
【００４１】
また、図１、図２および図４に示すように、本実施形態の魚型ルアー１は、ルアー本体２に設けられた錘１０をさらに備えていてもよい。錘１０が設けられる位置や、錘の重さ等については、用途に応じて適宜選択すればよい。錘は、図１、図２および図４に示すように、例えば、ルアー本体２内に埋め込まれていてもよいし、ルアー本体の外側に設けられていてもよい。
【００４２】
尚、図１および図２に示した例では、ルアー本体２の尾部２ａが、軟質ゴムまたは軟質樹脂で形成されているが、本実施形態の魚型ルアーはこれに制限されない。ルアー本体２の全体が、例えば、硬質樹脂で形成されていてもよい。
【産業上の利用可能性】
【００４３】
本発明の魚型ルアーは、魚の食いつきが悪い場合であっても、魚への釣針の掛りが良いので、魚型ルアーとして有用である。
【図面の簡単な説明】
【００４４】
【図１】Ａは本実施形態の魚型ルアーの一例の側面図、ＢはＡに示した魚型ルアーの上面図
【図２】Ａは本実施形態の魚型ルアーの他の例の側面図、ＢはＡに示した魚型ルアーの上面図
【図３】本実施形態の魚型ルアーを構成する釣針の一例を示した斜視図
【図４】本実施形態の魚型ルアーのさらに別の例の側面図
【図５】従来の魚型ルアーの一例の側面図
【符号の説明】
【００４５】
１        魚型ルアー
２        ルアー本体
２ａ      尾部
２１      鰭体
２１１    細長体
３        釣針
３ａ      釣部
３ｂ      軸部
４        連結部材
４ａ      環状部
５        接続リング
７        リップ
１０      錘
【図１】
2006197877.tif 000003
【図２】
2006197877.tif 000004
【図３】
2006197877.tif 000005
【図４】
2006197877.tif 000006
【図５】
2006197877.tif 000007